(57)【要約】【課題】加熱装置において、加熱ヒータに発生する熱衝撃により生じる熱応力を抑制すること。【解決手段】加熱装置１は、給水源Ｗから供給された水を流通させる流通路ＦＰを有する第一ケーシング１１および第二ケーシング１３と、第一ケーシング１１および第二ケーシング１３に配置され、流通路ＦＰを流れる水を加熱する加熱ヒータ２０と、を備えている。流通路ＦＰは、気泡Ｂが滞留する第一所定部位Ｐｓ１を有している。加熱ヒータ２０は、加熱ヒータ２０の内部に配置され、電力が供給されることにより熱を放出する発熱体２１ｄと、流通路ＦＰを流れる水と接触する部位に設けられ、発熱体２１ｄによって放出される熱によって水を加熱する加熱部２０ａと、加熱部２０ａのうち第一所定部位Ｐｓ１に滞留する気泡Ｂと接触する部位に、発熱体２１ｄによって放出される熱の伝導が抑制されるように設けられている熱伝導抑制部２０ｂと、を備えている。【選択図】図１
2018084380.tif 000002
【特許請求の範囲】
【請求項１】
給水源から供給された水を流通させる流通路を有するケーシングと、
前記ケーシングに配置され、前記流通路を流れる前記水を加熱する加熱ヒータと、を備えた加熱装置であって、
前記流通路は、気泡が滞留する所定部位を有し、
前記加熱ヒータは、
前記加熱ヒータの内部に配置され、電力が供給されることにより熱を放出する発熱体と、
前記流通路を流れる前記水と接触する部位に設けられ、前記発熱体によって放出される前記熱によって前記水を加熱する加熱部と、
前記加熱部のうち前記所定部位に滞留する前記気泡と接触する部位に、前記発熱体によって放出される前記熱の伝導が抑制されるように設けられている熱伝導抑制部と、を備えている加熱装置。
【請求項２】
前記熱伝導抑制部は、前記発熱体から所定距離離れて設けられている請求項１に記載の加熱装置。
【請求項３】
前記所定部位は、前記流通路の内面と、前記加熱部の上側の部位との間の部位であり、
前記熱伝導抑制部は、前記加熱部の上側の部位に設けられている請求項１または請求項２に記載の加熱装置。
【請求項４】
前記加熱ヒータは、長手方向の第一端を、前記第一端と長手方向において反対側の第二端より上方に位置させるように、傾斜して配置され、
前記所定部位は、前記流通路の内面と、前記加熱部における長手方向の前記第一端側の部位との間の部位であり、
前記熱伝導抑制部は、前記加熱部における長手方向の前記第一端側の部位に設けられている請求項１または請求項２に記載の加熱装置。
【請求項５】
請求項１乃至請求項４の何れか一項に記載の加熱装置と、
前記加熱装置によって加熱された前記水を洗浄水として噴出して、人体の局部を洗浄する洗浄ノズルと、を備えている局部洗浄装置。
【発明の詳細な説明】
【技術分野】
【０００１】
本発明は、加熱装置およびこれを備えている局部洗浄装置に関する。
【背景技術】
【０００２】
加熱装置（熱交換ユニット）の一形態として、特許文献１に示されているものが知られている。特許文献１の加熱装置１は、人体の局部を洗浄する局部洗浄装置において洗浄水を加熱するものである。加熱装置１は、内側に流体（水）が流通する流通空間１１が形成された本体部１０、および、流通空間１１内に配置されたヒータ２０を備えている。ヒータ２０は、円筒状に形成され、内側に水が流通する。また、ヒータ２０の内側には、接続部２２から水が導入される。
【先行技術文献】
【特許文献】
【０００３】
【特許文献１】特開２０１５−４５４２０号公報
【発明の概要】
【発明が解決しようとする課題】
【０００４】
特許文献１の加熱装置１においては、流通空間１１を流れる水の温度の変化によって、水中から気泡が発生して、この気泡が流通空間１１に滞留する場合がある。この気泡が加熱ヒータ（ヒータ２０）に接触した状態において加熱ヒータがオンされた場合、気泡によって加熱ヒータと水との熱交換が妨げられることにより、加熱ヒータの温度が上昇する。この状態において、加熱ヒータと水と接触した場合、加熱ヒータの温度が急激に低下する熱衝撃が発生する。この熱衝撃により生じる熱応力によって、加熱ヒータが早期に劣化することや加熱ヒータの破損が考えられる。
【０００５】
本発明は、上述した問題を解消するためになされたもので、加熱装置において、加熱ヒータに発生する熱衝撃により生じる熱応力を抑制することを目的とする。
【課題を解決するための手段】
【０００６】
上記の課題を解決するため、請求項１に係る加熱装置は、給水源から供給された水を流通させる流通路を有するケーシングと、ケーシングに配置され、流通路を流れる水を加熱する加熱ヒータと、を備えた加熱装置であって、流通路は、気泡が滞留する所定部位を有し、加熱ヒータは、加熱ヒータの内部に配置され、電力が供給されることにより熱を放出する発熱体と、流通路を流れる水と接触する部位に設けられ、発熱体によって放出される熱によって水を加熱する加熱部と、加熱部のうち所定部位に滞留する気泡と接触する部位に、発熱体によって放出される熱の伝導が抑制されるように設けられている熱伝導抑制部と、を備えている。
【発明の効果】
【０００７】
加熱ヒータの加熱部が流通路を流れる水を加熱している場合に、所定部位に滞留する気泡が熱伝導抑制部に接触したとき、熱伝導抑制部における水との熱交換が気泡によって妨げられる。これに対して、熱伝導抑制部が発熱体からの熱の伝導を抑制されているため、熱伝導抑制部の温度上昇が抑制される。このため、熱伝導抑制部と気泡とが接触している状態において、熱伝導抑制部と流通路を流れる水とが接触して熱衝撃が発生したときにおいても、熱伝導抑制部に生じる熱応力が抑制される。したがって、加熱装置において、加熱ヒータに発生する熱衝撃により生じる熱応力を抑制することができる。
【図面の簡単な説明】
【０００８】
【図１】本発明の第一実施形態に係る加熱装置の概要を示す軸方向断面図である。
【図２】図１に示す加熱ヒータの軸方向断面図である。
【図３】図２に示す第一シート部の展開図である。
【図４】本発明の第二実施形態に係る加熱装置の概要を示す軸方向断面図である。
【図５】図４に示す加熱装置の第一シート部の展開図である。
【図６】本発明の第三実施形態に係る加熱装置の概要を示す軸方向断面図である。
【図７】図６に示す加熱装置の第一シート部の展開図である。
【図８】本発明の加熱装置を適用した局部洗浄装置の斜視図である。
【図９】図８に示す局部洗浄装置の模式図である。
【図１０】本発明の第二実施形態の変形例に係る加熱装置の概要を示す軸方向断面図である。
【発明を実施するための形態】
【０００９】
＜加熱装置＞
＜第一実施形態＞
以下、本発明による加熱装置の第一実施形態について説明する。なお、本明細書においては説明の便宜上、図１における上側および下側をそれぞれ加熱装置の上方および下方とし、同じく左側および右側をそれぞれ加熱装置の左方および右方として説明する。
【００１０】
加熱装置１は、給水源Ｗ（例えば水道配管）から供給された水を加熱して導出するものである。加熱装置１は、例えば、後述する局部洗浄装置２において人体の局部に向けて噴出される洗浄水を加熱する。加熱装置１は、図１に示すように、第一ケーシング１１、加熱ヒータ１２（２０）、第二ケーシング１３、蓋部材１４を備えている。第一ケーシング１１および第二ケーシング１３は、本発明のケーシングに相当する。
【００１１】
第一ケーシング１１は、第一本体部１１ａおよび第一接続管１１ｂを備えている。第一本体部１１ａおよび第一接続管１１ｂは、熱可塑性樹脂材料によって一体に形成されている。第一本体部１１ａは、両端を開口し、軸線方向（本発明の長手方向に相当）を左右方向に沿うように配置された筒状に形成されている。第一接続管１１ｂは、外部と第一本体部１１ａの内側とを接続する管である。第一接続管１１ｂの下端が、第一本体部１１ａの内側に向けて開口する。
【００１２】
加熱ヒータ２０は、第一ケーシング１１および第二ケーシング１３に配置され、水を加熱するものである。加熱ヒータ２０は、セラミックヒータである。加熱ヒータ２０は、ヒータ部２１およびフランジ部２２を備えている。
【００１３】
ヒータ部２１は、両端を開口する筒状に形成されている。ヒータ部２１は、第一本体部１１ａと同軸に配置されている。また、ヒータ部２１の左側が、第一本体部１１ａの内側に配置されている。ヒータ部２１は、内部に配置され、熱を放出する発熱体２１ｄ（後述する）を備えている。ヒータ部２１は、発熱体２１ｄによって放出された熱によって、水を加熱する（詳細は後述する）。
【００１４】
フランジ部２２は、ヒータ部２１の右端と左端との間にて、鍔状に形成されている。フランジ部２２は、第一本体部１１ａの右側の開口部を覆うように形成されている。フランジ部２２は、第一本体部１１ａの右端に第二ケーシング１３とともにネジ等によって取り付けられている。フランジ部２２は、フランジ部２２と第一本体部１１ａとの間に配置された環状のＯリングＲｉ１によって液密に第一本体部１１ａに取り付けられている。加熱ヒータ２０の詳細は後述する。
【００１５】
第二ケーシング１３は、第二本体部１３ａ、第二接続管１３ｂおよび取付部１３ｃを備えている。第二本体部１３ａ、第二接続管１３ｂおよび取付部１３ｃは、熱可塑性樹脂材料によって一体に形成されている。
【００１６】
第二本体部１３ａは、左端を開口し、左右方向に延びる筒状に形成されている。第二本体部１３ａは、加熱ヒータ２０のフランジ部２２の右側にて、加熱ヒータ２０のヒータ部２１の径方向外側に配置されている。
【００１７】
第二接続管１３ｂは、給水源Ｗと加熱ヒータ２０のヒータ部２１の内側とを接続する管である。第二接続管１３ｂは、第二本体部１３ａの右側壁を貫通して設けられている。第二接続管１３ｂは、上方から下方に延びてから左方に向かって折れ曲がるＬ字状に形成されている。第二接続管１３ｂの上端は、給水源Ｗに接続される。第二接続管１３ｂの下端は、ヒータ部２１の内側に向けて開口する。
【００１８】
取付部１３ｃは、第二本体部１３ａの左端に鍔状に形成されている。取付部１３ｃが、加熱ヒータ２０のフランジ部２２の右側面に配置されている。取付部１３ｃは、フランジ部２２とともに第一本体部１１ａにネジ等によって取り付けられる。また、第二ケーシング１３は、第二本体部１３ａの右側壁とヒータ部２１の右端面との間に配置された環状のシール部材Ｓによって液密に第一本体部１１ａに取り付けられる。
【００１９】
蓋部材１４は、第一本体部１１ａの左側の開口部を覆うものである。蓋部材１４は、板状に形成されている。蓋部材１４は、第一本体部１１ａの左端にネジ等によって取り付けられている。また、蓋部材１４は、蓋部材１４と第一本体部１１ａとの間に配置された環状のＯリングＲｉ２によって液密に第一本体部１１ａに取り付けられている。
【００２０】
また、加熱装置１は、給水源Ｗから供給された水を流通させる流通路ＦＰを有している。流通路ＦＰは、第二接続管１３ｂ、加熱ヒータ２０、蓋部材１４、第一本体部１１ａおよび第一接続管１１ｂによって構成される。
【００２１】
流通路ＦＰにおける水の流れは、図１に実線の矢印にて示されている。すなわち、給水源Ｗから供給された水は、第二接続管１３ｂの上端から第二接続管１３ｂ内に流入して、第二接続管１３ｂの下端からヒータ部２１の内側に向けて流出する。ヒータ部２１の内側を流れた水は、ヒータ部２１の左端から第一本体部１１ａの内側に流出する。
【００２２】
第一本体部１１ａの内側に流出した水は、蓋部材１４の右側面にて流れの方向を変えて、ヒータ部２１の外周面と第一本体部１１ａの内周面との間を、左側から右側に向かって流れる。そして、水は、第一接続管１１ｂの下端から第一接続管１１ｂに流入して、第一接続管１１ｂの上端から外部に導出される。流通路ＦＰを水が流れている場合において、水とヒータ部２１とが接触する時に、発熱体２１ｄによって放出された熱によって水が加熱される（詳細は後述する）。
【００２３】
このように、第一ケーシング１１および第二ケーシング１３は、給水源Ｗから供給された水を流通させる流通路ＦＰを有するものである。また、加熱ヒータ２０は、第一ケーシング１１および第二ケーシング１３に配置され、流通路ＦＰを流れる水を加熱する。
【００２４】
また、流通路ＦＰは、気泡Ｂが滞留する第一所定部位Ｐｓ１（本発明の所定部位に相当）および第二所定部位Ｐｓ２を有している。気泡Ｂは、水が加熱ヒータ２０によって加熱された時に水の温度が上昇することにより、水に溶けていた溶存酸素が泡となって放出することによって生じる。気泡Ｂの比重は、水の比重より小さいため、流通路ＦＰ内の上側に移動する。そして、気泡Ｂは、流通路ＦＰの第一所定部位Ｐｓ１および第二所定部位Ｐｓ２に滞留する。
【００２５】
第一所定部位Ｐｓ１は、流通路ＦＰにおいて、流通路ＦＰの内面と、後述する加熱部２０ａの上側の部位との間の部位である。第一所定部位Ｐｓ１は、具体的には、流通路ＦＰにおいて、第一本体部１１ａの内周面および蓋部材１４の右側面とヒータ部２１の上側の部位との間の部位である。第二所定部位Ｐｓ２は、具体的には、ヒータ部２１の内側の流通路ＦＰにおける上側の部位である。
【００２６】
次に、加熱ヒータ２０の詳細について説明する。加熱ヒータ２０は、図２に示すように、加熱部２０ａおよび熱伝導抑制部２０ｂを備えている。
【００２７】
加熱部２０ａは、ヒータ部２１における流通路ＦＰを流れる水と接触する部位に設けられ、発熱体２１ｄ（後述する）によって放出される熱によって水を加熱する部位である。加熱部２０ａは、ヒータ部２１におけるフランジ部２２より左側の部位（破線にて囲まれた部位）に設けられている。加熱部２０ａは、ヒータ部２１の内部に配置された発熱体２１ｄ（後述する）によって放出される熱をヒータ部２１の外表面に伝導する。
【００２８】
熱伝導抑制部２０ｂは、加熱部２０ａのうち第一所定部位Ｐｓ１および第二所定部位Ｐｓ２に滞留する気泡Ｂと接触する部位に、発熱体２１ｄ（後述する）によって放出される熱の伝導が抑制されるように設けられている。熱伝導抑制部２０ｂは、加熱部２０ａの上側の部位（二点鎖線にて囲まれた部位）に設けられている。
【００２９】
また、加熱ヒータ２０は、ヒータ部２１がフランジ部２２に形成された貫通穴２２ａを貫通し、ヒータ部２１とフランジ部２２とが例えばガラス系の接着剤２３によって接着されることにより設けられている。
【００３０】
ヒータ部２１は、基部２１ａ、第一シート部２１ｂ、第二シート部２１ｃおよび発熱体２１ｄ（図３参照）を備えている。基部２１ａは、例えばアルミナを焼結させたセラミックスによって筒状に設けられている。基部２１ａは、碍管である。
【００３１】
第一シート部２１ｂおよび第二シート部２１ｃは、例えばアルミナを焼結させたセラミックスによってシート状にそれぞれ形成されたものである。第一シート部２１ｂおよび第二シート部２１ｃは、基部２１ａの外周面に、第二シート部２１ｃに対して第一シート部２１ｂを基部２１ａの径方向内側とするように巻き付けられ、かつ、接着されることにより、基部２１ａに配置される。このとき、基部２１ａ、第一シート部２１ｂおよび第二シート部２１ｃの各々の間に、例えばアルミナを主成分とするペーストが塗布される。そして、基部２１ａ、第一シート部２１ｂおよび第二シートが一体焼結されることにより、ヒータ部２１が形成される。
【００３２】
また、第一シート部２１ｂの外側面２１ｂ１（第二シート部２１ｃ側の面）上には、図３に示すように、第一領域Ｒ１および第二領域Ｒ２が設けられている。第一領域Ｒ１は、第一シート部２１ｂが基部２１ａに巻きつけられた場合に、加熱部２０ａに対応する領域であって、第二領域Ｒ２を除く領域（破線にて囲まれた領域）である。第二領域Ｒ２は、第一シート部２１ｂが基部２１ａに巻きつけられた場合に、熱伝導抑制部２０ｂに対応する領域（二点鎖線にて囲まれた領域）である。
【００３３】
発熱体２１ｄは、ヒータ部２１（加熱ヒータ２０）の内部に配置され、電力が供給されることにより熱を放出するものである。発熱体２１ｄは、例えばタングステン等の比較的高い融点を有する導体によって線状に設けられている。この導体が第一シート部２１ｂの外側面２１ｂ１上に印刷されることにより、発熱体２１ｄが形成されている。発熱体２１ｄは、第一領域Ｒ１にて、蛇行するように形成されている。発熱体２１ｄは、第二領域Ｒ２に形成されない。
【００３４】
また、発熱体２１ｄは、第二領域Ｒ２から外側面２１ｂ１に沿って所定距離Ｄ離れて設けられている。所定距離Ｄは、熱伝導抑制部２０ｂへの熱の伝導が抑制される距離である。第二領域Ｒ２が発熱体２１ｄから所定距離Ｄ離れているため、熱伝導抑制部２０ｂは、発熱体２１ｄから所定距離Ｄ離れて設けられている。
【００３５】
また、発熱体２１ｄの両側の端部２１ｄ１は、第一シート部２１ｂが基部２１ａに巻きつけられた場合に、ヒータ部２１のフランジ部２２より右側の部位に対応する位置に配置されている。発熱体２１ｄの端部２１ｄ１には、電源（図示なし）から電力が、第二シート部２１ｃの外側面に設けられた一対の電極（図示なし）を介して供給される。発熱体２１ｄの端部２１ｄ１と一対の電極とは、第二シート部２１ｃの外側面と内側面とを電気的に接続するスルーホール導体（図示なし）を介して電気的に接続されている。
【００３６】
また、ヒータ部２１の外表面には、コーティング層（図示なし）が設けられている。コーティング層は、例えば酸化チタンを主成分とするスラリーを用いて形成される。コーティング層は、基部２１ａおよび各シート部２１ｂ，２１ｃが一体焼結されたものに対してスラリーを用いてコーティングされた後、乾燥されることにより形成される。なお、ヒータ部２１は、コーティング層を設けないようにしても良い。
【００３７】
次に、加熱装置１が流通路ＦＰを流れる水を加熱する作動について説明する。給水源Ｗから供給された水は、上述したように、第二接続管１３ｂから流入して、流通路ＦＰを通って、第一接続管１１ｂから導出される。水が流通路ＦＰを流れている時に、発熱体２１ｄに電力が供給されることにより、発熱体２１ｄから熱が放出される。
【００３８】
発熱体２１ｄから放出された熱がヒータ部２１の内部を伝導し、ヒータ部２１の加熱部２０ａの外表面（加熱部２０ａの内周面および外周面）の温度が上昇する。また、熱伝導抑制部２０ｂは、発熱体２１ｄからの熱の伝導が抑制されるため、熱伝導抑制部２０ｂの外表面（熱伝導抑制部２０ｂの内周面および外周面）の温度上昇が抑制される。すなわち、熱伝導抑制部２０ｂの外表面の温度は、加熱部２０ａのうち熱伝導抑制部２０ｂ以外の部位の外表面の温度より低くなる。
【００３９】
加熱部２０ａの外表面に流通路ＦＰを流れる水が接触することにより、加熱部２０ａと水との間にて熱交換が行われて、水が加熱される。すなわち、水は、ヒータ部２１（加熱部２０ａ）の内側および外側を流れる時に加熱される。
【００４０】
また、流通路ＦＰを流れる水が加熱されることにより発生する気泡Ｂが、第一所定部位Ｐｓ１および第二所定部位Ｐｓ２に滞留する。第一所定部位Ｐｓ１に滞留する気泡Ｂが比較的大きくなった場合、ヒータ部２１の外側から、熱伝導抑制部２０ｂに接触する。また、第二所定部位Ｐｓ２に滞留する気泡Ｂは、ヒータ部２１の内側から熱伝導抑制部２０ｂに接触する。
【００４１】
熱伝導抑制部２０ｂと気泡Ｂとが接触する部位においては、水との熱交換が気泡Ｂによって妨げられる。これに対して、熱伝導抑制部２０ｂは、発熱体２１ｄからの熱の伝導が抑制されているため、熱伝導抑制部２０ｂと気泡Ｂとが接触する部位の温度上昇が抑制される。
【００４２】
この状態において、熱伝導抑制部２０ｂに接触する気泡Ｂが流通路ＦＰの下流側に流されることにより、熱伝導抑制部２０ｂと水とが接触した場合、熱伝導抑制部２０ｂと水との熱交換が行われるため、熱伝導抑制部２０ｂに熱衝撃が発生する。このとき、熱伝導抑制部２０ｂと気泡Ｂとが接触していた部位の温度上昇が抑制されていたため、熱伝導抑制部２０ｂに発生した熱衝撃による熱応力が抑制される。
【００４３】
本第一実施形態によれば、加熱装置１は、給水源Ｗから供給された水を流通させる流通路ＦＰを有する第一ケーシング１１および第二ケーシング１３と、第一ケーシング１１および第二ケーシング１３に配置され、流通路ＦＰを流れる水を加熱する加熱ヒータ２０と、を備えている。流通路ＦＰは、気泡Ｂが滞留する第一所定部位Ｐｓ１を有している。加熱ヒータ２０は、加熱ヒータ２０の内部に配置され、電力が供給されることにより熱を放出する発熱体２１ｄと、流通路ＦＰを流れる水と接触する部位に設けられ、発熱体２１ｄによって放出される熱によって水を加熱する加熱部２０ａと、加熱部２０ａのうち第一所定部位Ｐｓ１に滞留する気泡Ｂと接触する部位に、発熱体２１ｄによって放出される熱の伝導が抑制されるように設けられている熱伝導抑制部２０ｂと、を備えている。
【００４４】
加熱ヒータ２０の加熱部２０ａが流通路ＦＰを流れる水を加熱している場合に、第一所定部位Ｐｓ１に滞留する気泡Ｂが熱伝導抑制部２０ｂに接触したとき、熱伝導抑制部２０ｂにおける水との熱交換が気泡Ｂによって妨げられる。これに対して、熱伝導抑制部２０ｂが発熱体２１ｄからの熱の伝導を抑制されているため、熱伝導抑制部２０ｂの温度上昇が抑制される。このため、熱伝導抑制部２０ｂと気泡Ｂとが接触している状態において、熱伝導抑制部２０ｂと流通路ＦＰを流れる水とが接触して熱衝撃が発生したときにおいても、熱伝導抑制部２０ｂに生じる熱応力が抑制される。したがって、加熱装置１において、加熱ヒータ２０に発生する熱衝撃により生じる熱応力を抑制することができる。
【００４５】
また、熱伝導抑制部２０ｂは、発熱体２１ｄから所定距離Ｄ離れて設けられている。
これによれば、熱伝導抑制部２０ｂにおいて、発熱体２１ｄによって放出される熱の伝導を確実に抑制することができる。
【００４６】
また、第一所定部位Ｐｓ１は、流通路ＦＰの内面（第一本体部１１ａの内周面および蓋部材１４の右側面）と、加熱部２０ａの上側の部位との間の部位である。熱伝導抑制部２０ｂは、加熱部２０ａの上側の部位に設けられている。
【００４７】
流通路ＦＰの第一所定部位Ｐｓ１は、第一本体部１１ａの内周面および蓋部材１４の右側面と加熱部２０ａの上側の部位との間の部位であるため、第一所定部位Ｐｓ１に滞留する気泡Ｂが加熱部２０ａの上側の部位に、ヒータ部２１の外側から接触することが考えられる。これに対して、熱伝導抑制部２０ｂは、加熱部２０ａの上側の部位に設けられている。よって、熱伝導抑制部２０ｂと第一所定部位Ｐｓ１に滞留する気泡Ｂとが接触している状態において、熱伝導抑制部２０ｂと流通路ＦＰを流れる水とが接触して発生する熱衝撃により、熱伝導抑制部２０ｂに生じる熱応力を抑制することができる。
【００４８】
また、流通路ＦＰは、気泡Ｂが滞留する第二所定部位Ｐｓ２を有している。第二所定部位Ｐｓ２は、ヒータ部２１の内側の流通路ＦＰにおける上側の部位である。この場合、第二所定部位Ｐｓ２に滞留する気泡Ｂが加熱部２０ａの上側の部位に、ヒータ部２１の内側から接触する。これに対して、熱伝導抑制部２０ｂが加熱部２０ａの上側の部位に設けられているため、上述した場合と同様に、熱伝導抑制部２０ｂに生じる熱応力を抑制することができる。
【００４９】
＜第二実施形態＞
次に、本発明による加熱装置の第二実施形態について、主として上述した第一実施形態と異なる部分について説明する。上述した第一実施形態の第一ケーシング１１および加熱ヒータ２０は、第一本体部１１ａの軸線方向（ヒータ部２１の軸線方向と同じ；以下、軸線方向とする。）を左右方向に沿うように配置されている。これに対して、本第二実施形態の第一ケーシング１１１および加熱ヒータ１２０は、図４に示すように、軸線方向を傾斜させて配置されている。
【００５０】
第一ケーシング１１１および加熱ヒータ１２０は、具体的には、軸線方向の左端（本発明に第一端に相当）を、左端と軸線方向において反対側の右端（本発明の第二端に相当）より上方に位置させるように傾斜して配置されている。
【００５１】
第一本体部１１１ａが左端を右端より上方とするように傾斜しているため、流通路ＦＰを流れる水が加熱されることによって発生する気泡Ｂは、第一本体部１１１ａ内における上側かつ左端側にて滞留する。これにより、本第二実施形態において気泡Ｂが滞留する第三所定部位Ｐｓ３（本発明の所定部位に相当）は、流通路ＦＰにおいて、流通路ＦＰの内面（第一本体部１１１ａの内周面および蓋部材１１４の右側面）と、加熱部１２０ａにおける上側かつ軸線方向の左端側の部位との間の部位である。
【００５２】
また、本第二実施形態においては、熱伝導抑制部１２０ｂ、第一領域Ｒ１１および第二領域Ｒ１２が、上述した第一実施形態の熱伝導抑制部２０ｂ、第一領域Ｒ１および第二領域Ｒ２とそれぞれ異なっている。
【００５３】
熱伝導抑制部１２０ｂは、第三所定部位Ｐｓ３に滞留する気泡Ｂと接触する部位に設けられている。熱伝導抑制部１２０ｂは、具体的には、加熱部１２０ａにおける上端かつ軸線方向の左端側の部位（図４に示す二点鎖線にて囲まれた部位）である。
【００５４】
第二領域Ｒ１２は、図５に示すように、第一シート部１２１ｂが基部１２１ａに巻きつけられた場合に、熱伝導抑制部１２０ｂに対応する領域（二点鎖線にて囲まれた領域）である。なお、第一領域Ｒ１１は、第一シート部１２１ｂが基部１２１ａに巻きつけられた場合に、加熱部１２０ａに対応する領域であって、第二領域Ｒ１２を除く領域（破線にて囲まれた領域）である。
【００５５】
本第二実施形態において、加熱ヒータ１２０は、軸線方向の左端を、左端と軸線方向において反対側の右端より上方に位置させるように、傾斜して配置されている。第三所定部位Ｐｓ３は、流通路ＦＰの内面（第一本体部１１１ａの内周面および蓋部材１１４の右側面）と、加熱部１２０ａにおける上端かつ軸線方向の左端側の部位との間の部位である。熱伝導抑制部１２０ｂは、加熱部１２０ａにおける軸線方向の上側かつ左端側の部位に設けられている。
【００５６】
加熱ヒータ１２０は、軸線方向の左端を右端より上方に位置させるように、傾斜して配置されている。また、第三所定部位Ｐｓ３は、第一本体部１１１ａの内周面および蓋部材１１４の右側面とヒータ部１２１の上側かつ左端側の部位との間の部位である。このため、第三所定部位Ｐｓ３に滞留する気泡Ｂが加熱部１２０ａの上側かつ左端側の部位に接触することが考えられる。これに対して、熱伝導抑制部１２０ｂは、加熱部１２０ａの上側かつ左端側の部位に設けられている。よって、熱伝導抑制部１２０ｂと気泡Ｂとが接触している状態において、熱伝導抑制部１２０ｂと流通路ＦＰを流れる水とが接触して発生する熱衝撃により、熱伝導抑制部１２０ｂに生じる熱応力を抑制することができる。
【００５７】
＜第三実施形態＞
次に、本発明による加熱装置の第三実施形態について、主として上述した第一実施形態と異なる部分について説明する。本第三実施形態の第一ケーシング２１１および加熱ヒータ２２０は、図６に示すように、軸線方向を上下方向に沿うように配置されている。
【００５８】
軸線方向が上下方向に沿うように、第一本体部２１１ａが配置されているため、流通路ＦＰを流れる水が加熱されることによって発生する気泡Ｂは、第一本体部２１１ａ内における上側に滞留する。これにより、本第三実施形態における気泡Ｂが滞留する第四所定部位Ｐｓ４（本発明の所定部位に相当）は、流通路ＦＰにおいて、流通路ＦＰの内面（第一本体部２１１ａの内周面およびフランジ部２２２の下側面）と、加熱部２２０ａの上側の部位との間の部位である。
【００５９】
また、本第三実施形態においては、熱伝導抑制部２２０ｂ、第一領域Ｒ２１および第二領域Ｒ２２が、上述した第一実施形態の熱伝導抑制部２０ｂ、第一領域Ｒ１および第二領域Ｒ２と異なっている。
【００６０】
熱伝導抑制部２２０ｂは、第四所定部位Ｐｓ４に滞留する気泡Ｂと接触する部位に設けられている。熱伝導抑制部２２０ｂは、具体的には、加熱部２２０ａの上側の部位（図６に示す二点鎖線にて囲まれた部位）である。
【００６１】
第二領域Ｒ２２は、図７に示すように、第一シート部２２１ｂが基部２２１ａに巻きつけられた場合に、熱伝導抑制部２２０ｂに対応する領域（二点鎖線にて囲まれた領域）である。なお、第一領域Ｒ２１は、第一シート部２２１ｂが基部２２１ａに巻きつけられた場合に、加熱部２２０ａに対応する領域であって、第二領域Ｒ２２を除く領域（破線にて囲まれた領域）である。
【００６２】
熱伝導抑制部２２０ｂと第四所定部位Ｐｓ４に滞留する気泡Ｂとが接触している状態において、熱伝導抑制部２２０ｂと流通路ＦＰを流れる水とが接触して発生する熱衝撃により、熱伝導抑制部２２０ｂに生じる熱応力を抑制することができる。
【００６３】
＜局部洗浄装置＞
次に、上述した加熱装置１を適用した局部洗浄装置の一実施形態について説明する。局部洗浄装置２は、人体の局部を洗浄するものである。局部洗浄装置２は、図８に示すように、腰掛式便器Ｔに取り付けられている。腰掛式便器Ｔは、便鉢部ＴＢを有している。
【００６４】
局部洗浄装置２は、洗浄装置本体部３、便座４、便座４を覆う便蓋５を備えている。洗浄装置本体部３は、本体ケーシング３ａ、洗浄機能部６（図９参照）および局部洗浄装置２を統括制御する制御装置７（図９参照）を備えている。
【００６５】
本体ケーシング３ａは、中空の箱状に形成されている。本体ケーシング３ａは、便座４および便蓋５を回動可能に保持する。本体ケーシング３ａは、洗浄機能部６および制御装置７を収納する。
【００６６】
洗浄機能部６は、洗浄水を噴出することにより人体の局部の洗浄を行うものである。洗浄機能部６は、給水源Ｗ（本実施形態においては水道配管；図９参照）からの水（上水）を洗浄水として人体の局部に向けて噴出する。洗浄機能部６は、図９に示すように、給水装置６１、流量有無検出装置６２、加熱装置６３、ポンプ６４およびノズル装置６５を備えている。
【００６７】
また、洗浄機能部６は、洗浄水が流れる４つの接続水路Ｌ１〜Ｌ４を備えている。各接続水路Ｌ１〜Ｌ４は、管状のホースである。第一の接続水路Ｌ１は、給水装置６１と流量有無検出装置６２とを接続する。第二の接続水路Ｌ２は、流量有無検出装置６２と加熱装置６３とを接続する。第三の接続水路Ｌ３は、加熱装置６３とポンプ６４とを接続する。第四の接続水路Ｌ４は、ポンプ６４とノズル装置６５とを接続する。
【００６８】
洗浄水は、給水装置６１、第一の接続水路Ｌ１、流量有無検出装置６２、第二の接続水路Ｌ２、加熱装置６３、第三の接続水路Ｌ３、ポンプ６４、第四の接続水路Ｌ４およびノズル装置６５の順に流れる。
【００６９】
給水装置６１は、給水源Ｗに取り付けられた分岐水栓Ｗａに、洗浄水が流れる給水ホースＨを介して接続されている。分岐水栓Ｗａは、給水源Ｗを流れる水を洗浄水として給水ホースＨに導出する。
【００７０】
給水装置６１は、給水源Ｗからの洗浄水を洗浄機能部６に導入するものである。給水装置６１は、具体的には、給水ホースＨからの洗浄水を第一の接続水路Ｌ１に導出する。給水装置６１には、給水ホースＨから第一の接続水路Ｌ１に向けて、ストレーナ６１ａ、逆止弁６１ｂ、定流量弁６１ｃ、止水電磁弁６１ｄおよびリリーフ弁６１ｅがこの順に設けられている。
【００７１】
ストレーナ６１ａは、洗浄水に含まれるゴミ等を除去するものである。逆止弁６１ｂは、給水ホースＨから第一の接続水路Ｌ１への洗浄水の流れを許容するが、逆方向の流れを規制するものである。定流量弁６１ｃは、給水ホースＨからの洗浄水の流量（単位時間あたりの流量）をおよそ一定に調整するものである。
【００７２】
止水電磁弁６１ｄは、開状態である場合に洗浄水の流れを許容し、閉状態である場合に洗浄水の流れを規制する電磁弁である。また、止水電磁弁６１ｄは、通電されている場合に開状態となり、非通電である場合に閉状態となるノーマルクローズ型の電磁弁である。
【００７３】
リリーフ弁６１ｅは、定流量弁６１ｃによって流量が調整された洗浄水のうちポンプ６４によって吸引されない洗浄水を洗浄機能部６から外部（便鉢部ＴＢ内）へ放出するものである。
【００７４】
流量有無検出装置６２は、洗浄水の有無を検出するものである。流量有無検出装置６２は、第一温度センサ６２ａおよび流量スイッチ６２ｂが設けられている。
第一温度センサ６２ａは、流量有無検出装置６２を流れる洗浄水の温度（特に第一温度センサ６２ａの設置場所の温度）を検出するものである。第一温度センサ６２ａによって検出された洗浄水の温度は、検出信号として制御装置７に送信される。
【００７５】
流量スイッチ６２ｂは、洗浄水の有無を検出するものである。流量スイッチ６２ｂは、例えば羽根車式の流量スイッチである。流量スイッチ６２ｂは、流量有無検出装置６２を流れる洗浄水の流量が所定流量以上である場合、洗浄水が有ると検出する。所定流量は、加熱装置６３において、加熱ヒータ２０による空焚きが発生しない流量に設定されている。流量スイッチ６２ｂによって検出された洗浄水の有無は、検出信号として制御装置７に送信される。
【００７６】
加熱装置６３は、上述した第一実施形態の加熱装置１である。加熱装置６３は、洗浄水の温度を所定温度とするように洗浄水を加熱する。所定温度は、人体の局部を洗浄する洗浄水の温度（例えば３９℃）である。また、第二接続管１３ｂには、第二の接続水路Ｌ２が接続される。第三の接続水路Ｌ３には、第一接続管１１ｂが接続される。また、加熱装置６３には、第二温度センサ６３ａが配置されている（図１および図９参照）。
【００７７】
第二温度センサ６３ａは、洗浄水の温度（特に第二温度センサ６３ａの設置場所の温度）を検出するものである。第二温度センサ６３ａは、第一接続管１１ｂの内側に配置されている。第二温度センサ６３ａによって検出された洗浄水の温度は、検出信号として制御装置７に送信される。
【００７８】
また、洗浄水が流通路ＦＰを、上述したように流れている時に、加熱ヒータ２０が、洗浄水を直接加熱して、洗浄水の温度を所定温度にする。すなわち、本実施形態における加熱装置６３の洗浄水の加熱方式は、瞬間式である。
【００７９】
第二温度センサ６３ａは、流通路ＦＰにおいて洗浄水が加熱ヒータ２０と接触する部位より下流側に配置されているため、加熱ヒータ２０によって加熱された洗浄水の温度を検出する。第二温度センサ６３ａの検出温度が所定温度となるように、加熱ヒータ２０（発熱体２１ｄに供給される電力）がフィードバック制御される。なお、加熱ヒータ２０はＰＷＭ（Ｐｕｌｓｅ  Ｗｉｄｔｈ  Ｍｏｄｕｌａｔｉｏｎ）制御されているため、加熱ヒータ２０への制御指令値は、デューティ比にて出力される。
【００８０】
ポンプ６４は、水路容積を変化させることにより、洗浄水を脈動させるものである。ポンプ６４は、往復運動するピストン（図示なし）を含んで構成された容積式往復動ポンプ（例えばダイヤフラムポンプ）である。ポンプ６４によって、ノズル装置６５から噴出する洗浄水が脈動することにより、洗浄水の流量が比較的少ない場合においても、洗浄水が脈動しない場合に比べて、人体の局部を洗浄する水勢を強くすることができる。
【００８１】
ノズル装置６５は、第四の接続水路Ｌ４からの洗浄水を人体の局部に向けて噴出するものである。ノズル装置６５は、流路切替弁６５ａ、第五の接続水路Ｌ５、第六の接続水路Ｌ６、排水路Ｌｄ、おしりノズル６５ｂおよびビデノズル６５ｃを備えている。おしりノズル６５ｂおよびビデノズル６５ｃは、本発明の洗浄ノズルに相当する。
【００８２】
各接続水路Ｌ５，Ｌ６および排水路Ｌｄは、洗浄水が流れる水路であり、例えばシリコンゴムによって形成された屈曲性を有する管状のホースである。第五の接続水路Ｌ５は、流路切替弁６５ａとおしりノズル６５ｂとを接続する。第六の接続水路Ｌ６は、流路切替弁６５ａとビデノズル６５ｃとを接続する。排水路Ｌｄは、流路切替弁６５ａから便鉢部ＴＢに洗浄水を排出する。
【００８３】
流路切替弁６５ａは、制御装置７からの制御信号にしたがって、第四の接続水路Ｌ４からの洗浄水を、第五の接続水路Ｌ５、第六の接続水路Ｌ６および排水路Ｌｄのうちの一つに選択的に切り替えて導出するものである。流路切替弁６５ａは、例えば四方弁である。また、流路切替弁６５ａは、制御装置７からの制御信号にしたがって、洗浄水が流れる水路の流路断面積を可変させることにより、洗浄水の流量を調整可能に設けられている。
【００８４】
おしりノズル６５ｂおよびビデノズル６５ｃは、加熱装置６３によって加熱された水を洗浄水として噴出して、人体の局部を洗浄するものである。おしりノズル６５ｂは、おしり洗浄を行うものである。おしりノズル６５ｂは、第五の接続水路Ｌ５からの洗浄水を人体の局部に向けて噴出する。ビデノズル６５ｃは、ビデ洗浄を行うものである。ビデノズル６５ｃは、第六の接続水路Ｌ６からの洗浄水を人体の局部に向けて噴出する。
【００８５】
次に、上述した局部洗浄装置２の動作について説明する。局部洗浄装置２の待機状態（おしり洗浄およびビデ洗浄が行われていない状態）においては、制御装置７は、止水電磁弁６１ｄを非通電状態とするため、止水電磁弁６１ｄが閉状態である。また、局部洗浄装置２の待機状態において、制御装置７は、加熱ヒータ２０をオフ状態（発熱体２１ｄに電力が供給されていない状態）にするとともに、流路切替弁６５ａを第四の接続水路Ｌ４と排水路Ｌｄとを接続するように制御する。
【００８６】
局部洗浄装置２が待機状態である場合に、おしり洗浄を行うためのスイッチ（図示なし）がオンされたとき、制御装置７は、おしり洗浄を行う。制御装置７は、具体的には、止水電磁弁６１ｄを開状態にするとともに、ポンプ６４を駆動させる。
【００８７】
これにより、洗浄水が給水装置６１からノズル装置６５に向けて流れる。このとき、流量スイッチ６２ｂによって洗浄水が有ると検出された場合、制御装置７は、上述したように洗浄水の温度が所定温度となるように、加熱ヒータ２０によって洗浄水を加熱（加熱ヒータ２０をオン状態（発熱体２１ｄに電力が供給されている状態））する。洗浄水の温度が所定温度となるまで、洗浄水が便鉢部ＴＢに排出される。
【００８８】
そして、第二温度センサ６３ａによって検出された温度が所定温度となった場合、制御装置７は、第四の接続水路Ｌ４と第五の接続水路Ｌ５とを接続するように流路切替弁６５ａを制御する。これにより、洗浄水がおしりノズル６５ｂから噴出する。おしり洗浄が行われている間、加熱装置６３に洗浄水が流れるとともに、洗浄水の温度が所定温度となるように、洗浄水が加熱ヒータ２０によって加熱される。
【００８９】
また、おしり洗浄が行われている間、例えば、洗浄水が加熱ヒータ２０に加熱されることにより、または、給水源Ｗから洗浄水とともに気泡Ｂが流入することによって、流通路ＦＰの第一所定部位Ｐｓ１および第二所定部位Ｐｓ２に気泡Ｂが滞留することが考えられる。これに対して、上述したように、第一所定部位Ｐｓ１および第二所定部位Ｐｓ２に滞留する気泡Ｂに接触する熱伝導抑制部２０ｂが加熱ヒータ２０に設けられている。よって、熱伝導抑制部２０ｂと気泡Ｂとが接触している状態において、熱伝導抑制部２０ｂと流通路ＦＰを流れる水とが接触して発生する熱衝撃によって熱伝導抑制部２０ｂに生じる熱応力が抑制される。
【００９０】
上述したおしり洗浄が行われている場合に、おしり洗浄を停止させるスイッチ（図示なし）がオンされた場合、制御装置７は、おしり洗浄を停止する。制御装置７は、具体的には、加熱ヒータ２０をオフ状態にするとともに、流路切替弁６５ａを第四の接続水路Ｌ４と排水路Ｌｄとを接続するように制御する。さらに、制御装置７は、ポンプ６４の駆動を停止させるとともに、止水電磁弁６１ｄを閉状態にする。これにより、局部洗浄装置２が待機状態に戻る。
【００９１】
本実施形態によれば、局部洗浄装置２は、加熱装置６３と、加熱装置６３によって加熱された水を洗浄水として噴出して、人体の局部を洗浄するおしりノズル６５ｂおよびビデノズル６５ｃと、を備えている。
これによれば、局部洗浄装置２は、上述した加熱装置１が有する効果と同様の効果を有する。
【００９２】
なお、上述した実施形態において、加熱装置の一例を示したが、本発明はこれに限定されず、他の構成を採用することもできる。例えば、熱伝導抑制部２０ｂ，１２０ｂ，２２０ｂは、発熱体２１ｄ，１２１ｄ，２２１ｄから所定距離Ｄ離れることにより、熱の伝導が抑制されているが、これに代えて、熱伝導抑制部２０ｂ，１２０ｂ，２２０ｂの材料を熱伝導率が比較的低い材料にしても良い。また、熱伝導抑制部２０ｂ，１２０ｂ，２２０ｂにおける軸線方向に直交する方向の肉厚を、加熱部２０ａ，１２０ａ，２２０ａにおける熱伝導抑制部２０ｂ，１２０ｂ，２２０ｂ以外の部位の肉厚より厚くしても良い。
【００９３】
また、上述した各実施形態に係る加熱装置１において、ヒータ部２１，１２１，２２１は、筒状に形成されているが、これに代えて、ヒータ部２１，１２１，２２１を板状や棒状に形成するようにしても良い。
【００９４】
図１０に示す上述した加熱装置の第二実施形態の変形例のように、ヒータ部３２１が棒状に形成された場合、給水源Ｗから水が供給される第三接続管３１１ｃが第一本体部３１１ａの下側に設けられるとともに、第二ケーシング１３が省略される。また、この場合、第一ケーシング３１１および加熱ヒータ３２０が、軸線方向の左端を右端より上方に位置させるように傾斜して配置されている。このため、第三所定部位Ｐｓ１３は、流通路ＦＰの内面（第一本体部３１１ａの内周面および蓋部材３１４の右側面）と、加熱部３２０ａにおける軸線方向の左端側の部位との間の部位となる。また、この場合、熱伝導抑制部３２０ｂは、加熱部３２０ａにおける軸線方向の左端側の部位（二点鎖線にて囲まれた部位）に設けられる。
【００９５】
また、ヒータ部２１，１２１，２２１，３２１が棒状に形成された場合、加熱ヒータ２０，１２０，２２０，３２０をセラミックヒータに代えて、シーズヒータとしても良い。
【００９６】
また、上述した局部洗浄装置の実施形態において、加熱装置１が、局部洗浄装置２に適用されているが、これに代えて、加熱装置１を湯沸かし器や循環温浴器に適用するようにしても良い。
【００９７】
なお、本発明の要旨を逸脱しない範囲において、第一ケーシング１１，１１１，２１１，３１１、第二ケーシング１３，１１３，２１３、ヒータ部２１，１２１，２２１，３２１および発熱体２１ｄ，１２１ｄ，２２１ｄの形状や、第一領域Ｒ１，Ｒ１１，Ｒ２１および第二領域Ｒ２，Ｒ１２，Ｒ２２の範囲、並びに、加熱部２０ａ，１２０ａ，２２０ａ，３２０ａおよび熱伝導抑制部２０ｂ，１２０ｂ，２２０ｂ，３２０ｂの範囲を変更しても良い。
【符号の説明】
【００９８】
１…加熱装置、２…局部洗浄装置、１１…第一ケーシング（ケーシング）、１２（２０）…加熱ヒータ、１３…第二ケーシング（ケーシング）、２０ａ…加熱部、２０ｂ…熱伝導抑制部、２１…ヒータ部、２１ａ…基部、２１ｂ…第一シート部、２１ｃ…第二シート部、２１ｄ…発熱体、６５ｂ…おしりノズル（洗浄ノズル）、６５ｃ…ビデノズル（洗浄ノズル）、Ｂ…気泡、Ｄ…所定距離、ＦＰ…流通路、Ｐｓ１…第一所定部位（所定部位）、Ｐｓ２…第二所定部位、Ｐｓ３…第三所定部位（所定部位）、Ｐｓ４…第四所定部位（所定部位）、Ｗ…給水源。
【図１】
2018084380.tif 000003
【図２】
2018084380.tif 000004
【図３】
2018084380.tif 000005
【図４】
2018084380.tif 000006
【図５】
2018084380.tif 000007
【図６】
2018084380.tif 000008
【図７】
2018084380.tif 000009
【図８】
2018084380.tif 000010
【図９】
2018084380.tif 000011
【図１０】
2018084380.tif 000012